【手続補正書】
【提出日】平成30年5月1日(2018.5.1)
【手続補正１】
【補正対象書類名】特許請求の範囲
【補正対象項目名】全文
【補正方法】変更
【補正の内容】
【特許請求の範囲】
【請求項１】
溶媒系に溶解した伝導性正孔注入材料を含むインク組成物であって、該溶媒系は、少なくとも３００℃の沸点および２３℃で約２５ダイン／ｃｍ〜約３３ダイン／ｃｍの範囲の表面張力を有し、かつ少なくとも１種のエステルを含み、ここで、該溶媒系の少なくとも９０重量パーセントが、該少なくとも１種のエステルを含む、インク組成物。
【請求項２】
前記溶媒系が、セバシン酸アルキルを含む、請求項１に記載のインク組成物。
【請求項３】
前記溶媒系が、少なくとも９９重量パーセントのエステルを含む、請求項１に記載のインク組成物。
【請求項４】
前記溶媒系が、オクタン酸アルキルを含む、請求項１に記載のインク組成物。
【請求項５】
前記溶媒系が、少なくとも９０重量パーセントの前記オクタン酸アルキルを含む、請求項４に記載のインク組成物。
【請求項６】
前記溶媒系が、セバシン酸アルキルをさらに含む、請求項４に記載のインク組成物。
【請求項７】
前記溶媒系が、２種またはそれより多くの種類のオクタン酸アルキルを含む、請求項１に記載のインク組成物。
【請求項８】
前記溶媒系が、オクタン酸ジエチルおよびオクタン酸オクチルを含む、請求項７に記載のインク組成物。
【請求項９】
前記溶媒系が、少なくとも９０重量パーセントのオクタン酸ジエチルおよびオクタン酸オクチルを含む、請求項７に記載のインク組成物。
【請求項１０】
前記正孔注入材料が、フェニルアミン、スターバーストタイプのアミン、フタロシアニンおよびポリアニリンから選択される、請求項１に記載のインク組成物。
【請求項１１】
前記正孔注入材料が、フェニルアミン、スターバーストタイプのアミン、フタロシアニンおよびポリアニリンから選択される、請求項２に記載のインク組成物。
【請求項１２】
前記正孔注入材料が、フェニルアミン、スターバーストタイプのアミン、フタロシアニンおよびポリアニリンから選択される、請求項４に記載のインク組成物。
【請求項１３】
有機発光ダイオードのための正孔注入層を形成する方法であって、
有機発光ダイオードピクセルバンクのピクセルセル中にインク組成物の層を形成するステップであって、該インク組成物は溶媒系に溶解した伝導性正孔注入材料を含み、該溶媒系は、少なくとも３００℃の沸点および２３℃で約２５ダイン／ｃｍ〜約３３ダイン／ｃｍの範囲の表面張力を有し、かつ少なくとも１種のエステルを含み、ここで、該溶媒系の少なくとも９０重量パーセントが、該少なくとも１種のエステルを含む、ステップと、
該溶媒系から溶媒を蒸発させ、それによって該正孔注入層を形成するステップと
を含む方法。
【請求項１４】
有機発光ダイオードピクセルバンクのピクセルセル中にインク組成物の層を形成するステップが、該有機発光ダイオードピクセルバンクの該ピクセルセル中に該インク組成物をインクジェット印刷することを含む、請求項１３に記載の方法。
【請求項１５】
前記溶媒系が、少なくとも９９重量パーセントのエステルを含む、請求項１３に記載の方法。
【請求項１６】
前記溶媒系が、オクタン酸アルキルを含む、請求項１３に記載の方法。
【請求項１７】
前記溶媒系が、セバシン酸アルキルをさらに含む、請求項１６に記載の方法。
【請求項１８】
前記溶媒系が、２種またはそれより多くの種類のオクタン酸アルキルを含む、請求項１３に記載の方法。
【請求項１９】
前記溶媒系が、オクタン酸ジエチルおよびオクタン酸オクチルを含む、請求項１８に記載の方法。
【請求項２０】
前記正孔注入材料が、フェニルアミン、スターバーストタイプのアミン、フタロシアニンおよびポリアニリンから選択される、請求項１３に記載の方法。
【請求項２１】
有機発光ダイオードのための正孔輸送層、正孔注入層または発光層を形成する方法であって、該方法は、
有機発光ダイオードピクセルバンクのピクセルセル中にインク組成物の層をインクジェット印刷するステップであって、該インク組成物は、
架橋性ポリマーを含む正孔輸送材料
伝導性正孔注入材料、または
有機エレクトロルミネセンス材料
を含み、ここで、該正孔輸送材料、該伝導性正孔注入材料、または該有機エレクトロルミネセンス材料は、少なくとも１種のエステルを含む溶媒系に溶解しており、さらに該インク組成物は、０．１〜５重量パーセントの該正孔輸送材料、該伝導性正孔注入材料または該有機エレクトロルミネセンス材料を含み、かつ２３℃で１００ｃＰｓまたはそれ未満の粘度を有する、ステップと、
該インク組成物の該層を真空下で乾燥させるステップと、
該インク組成物の該層を焼成するステップと
を含む、方法。
【請求項２２】
前記インク組成物が前記有機エレクトロルミネセンス材料を含み、該有機エレクトロルミネセンス材料が、ポリパラフェニレンビニレン誘導体、ポリチオフェン誘導体、ポリパラフェニレン誘導体、ポリシラン誘導体、ポリアセチレン誘導体およびポリフルオレン誘導体から選択される有機ポリマーである、請求項２１に記載の方法。
【請求項２３】
前記インク組成物が前記正孔輸送材料を含み、該正孔輸送材料が、ポリシラン、ポリシラン誘導体、側鎖もしくは主鎖に芳香族アミンを有するポリシロキサン誘導体、ピラゾリン誘導体、ポリチオフェン、ポリチオフェン誘導体、ポリピロール、ポリピロール誘導体、ポリ（２，５チエニレンビニレン）およびポリ（２，５チエニレンビニレン）誘導体から選択される、請求項２１に記載の方法。
【請求項２４】
前記インク組成物が前記伝導性正孔注入材料を含み、該伝導性正孔注入材料が、フェニルアミン、スターバーストタイプのアミン、フタロシアニンおよびポリアニリンから選択される、請求項２１に記載の方法。
【請求項２５】
前記ピクセルセルが、フロアと該セルの周囲長を画定する壁とを含み、該セルおよび該壁は、界面活性剤でコーティングされている、請求項２１に記載の方法。
【請求項２６】
前記発光層が、２０％以下の変動係数のルミネッセンスを放出する、請求項２２に記載の方法。
【請求項２７】
有機発光ダイオードのための正孔輸送層および発光層を形成する方法であって、該方法は、
有機発光ダイオードピクセルバンクのピクセルセル中に第１のインク組成物の層をインクジェット印刷するステップであって、該第１のインク組成物は、架橋性ポリマーを含む正孔輸送材料を含み、ここで、該正孔輸送材料は溶媒系に溶解しており、該溶媒系は、少なくとも１種のエステルを含み、０．１〜５重量パーセントの該正孔輸送材料を含み、かつ２３℃で１００ｃＰｓまたはそれ未満の粘度を有する、ステップと、
該第１のインク組成物の該層を真空下で乾燥させるステップと、
該第１のインク組成物の該層を焼成することによって、架橋された正孔輸送層を形成するステップと、
該正孔輸送層上に該ピクセルセル中で第２のインク組成物の層をインクジェット印刷するステップであって、該第２のインク組成物は第２の溶媒系に溶解した有機エレクトロルミネセンス材料を含み、該第２の溶媒系は、少なくとも１種のエステルを含み、０．１〜５重量パーセントの有機エレクトロルミネセンス材料を含み、かつ２３℃で１００ｃＰｓまたはそれ未満の粘度を有する、ステップと、
該第２のインク組成物の該層を真空下で乾燥させるステップと、
該第２のインク組成物の該層を焼成することによって、発光層を形成するステップと
を含む、方法。
【請求項２８】
前記正孔輸送層の前記架橋性ポリマーが、完全には架橋されない、請求項２７に記載の方法。
【請求項２９】
第１の溶媒系の前記少なくとも１種のエステルと前記第２の溶媒系の前記少なくとも１種のエステルとが、同じエステルである、請求項２７に記載の方法。
【請求項３０】
前記有機発光ダイオードピクセルバンクの前記ピクセルセル中に前記第１のインク組成物の層をインクジェット印刷するステップの前に、
少なくとも１種のエステルを含む溶媒系に溶解した伝導性正孔注入材料を含む組成物をインクジェット印刷するステップと、
該組成物の層を真空下で乾燥させるステップと、
該組成物の該層を焼成することによって、正孔注入層を形成するステップと
をさらに含む、請求項２７に記載の方法。